(57)【要約】【課題】この発明は、簡易な構造で、窓等の開口部に配置されるルーバ、スラット又は面格子を移動させると共に、所定の位置に保持することのできる格子装置を提供する。【解決手段】この発明は、開口部の両側に配される一対のガイドレールと、前記開口部上方に積層されて収納されると共に前記ガイドレールに沿って上下に移動可能である複数のスラットと、前記ガイドレールの対応する所定の位置に配され、スラットのそれぞれの両端を保持して、所定の位置に前記スラットを固定する保持手段と、該スラットを移動させる移動手段とを少なくとも具備する格子装置において、前記移動手段は、前記最下段のスラットのみを前記ガイドレールに沿って移動させると共に、前記保持手段は、降下するスラット群の最上段に位置するスラットの当接噛合部のみを保持すると共に、上昇するスラットによって保持されたスラットの噛合部の保持状態を解除するカム機構を有することにある。【選択図】  図１
2009197393.tif 000002
【特許請求の範囲】
【請求項１】
開口部の両側に配される一対のガイドレールと、前記開口部上方に積層されて収納されると共に前記ガイドレールに沿って上下に移動可能である複数のスラットと、前記ガイドレールの対応する所定の位置に配され、スラットのそれぞれの両端を保持して、所定の位置に前記スラットを固定する保持手段と、該スラットを移動させる移動手段とを少なくとも具備する格子装置において、
前記移動手段は、前記最下段のスラットのみを前記ガイドレールに沿って移動させると共に、
前記保持手段は、降下するスラット群の最上段に位置するスラットの当接噛合部のみを保持すると共に、上昇するスラットによって保持されたスラットの噛合部の保持状態を解除するカム機構を有することを特徴とする格子装置。
【請求項２】
前記カム機構は、前記ガイドレールに沿った所定の長さを有する本体部と、該本体部の上部に形成され、スラット群の隣り合う当接噛合部の間隔よりも広い幅で突出する第１の凸部と、該第１の凸部に隣接して形成される保持受部と、該保持受部の下端を形成し、前記スラット群の隣り合う当接噛合部の間隔よりも狭い幅で突出する第２の凸部とを有し、少なくとも前記第１の凸部は、前記スラットが当接移動することによって、前記スラットから離れる方向へ押し開かれるように本体部を傾斜又は移動させることを特徴とする請求項１記載の格子装置。
【請求項３】
前記カム機構は、前記保持解除位置から前記保持位置へ移動する方向に付勢する付勢手段と、カム機構自体を保持解除位置に保持する無効手段とを具備することを特徴とする請求項１又は２記載の格子装置。
【請求項４】
前記当接噛合部は、前記スラットの長手方向に沿って形成された肉薄部であることを特徴とする請求項１，２又は３記載の格子装置。
【請求項５】
前記当接噛合部は、長手方向両端部のそれぞれの中央位置に設けられるロッドピンであることを特徴とする請求項１，２又は３記載の格子装置。
【請求項６】
前記当接噛合部は、長手方向両端部のそれぞれから長手方向に沿って延出する一対のロッドピンであることを特徴とする請求項１，２又は３記載の格子装置。
【発明の詳細な説明】
【技術分野】
【０００１】
本願発明は、窓や出入り口等の開口部に複数の格子を移動、配置することのできる格子装置に関する。
【背景技術】
【０００２】
特許文献１は、非常時に内部から格子部材を移動させて開口できる面格子であって、格子部材をロックする施錠装置を不要とすると共に、緊急時に身体不自由者でも容易に内部から開口することができる自走式の電動面格子を開示する。具体的には、２本の固定枠と該固定枠の両端部に直角に設けた２本のガイドレールから面格子周枠体を形成し、面格子周枠体の２本のガイドレールに面格子フレームをスライド可能に係合し、前記面格子フレーム内部に電動機構を内蔵し、この電動機構により駆動される自走機構をガイドレール内に敷設したラックとこのラックに噛み合う電動機構からの駆動軸に設けたピニオンから形成し、面格子フレームをガイドレールに沿って移動可能としたものである。
【０００３】
特許文献２は、ルーバタイプの面格子において、常時は防犯のため各ルーバ板は移動できないが、緊急時に室内側から各ルーバ板を上昇させて非常口を形成することができる緊急脱出用面格子を開示する。具体的には、左縦枠と右縦枠及び上横枠と下横枠からなるルーバ枠体内に、上端に設けた回動軸縦溝を有する縦内枠板を左縦枠と右縦枠の内側に対向配置し、この縦内枠板の回動軸孔と回動軸縦溝にルーバ板の長手側端部に設けた回動軸を挿通して複数の横方向ルーバ板を垂直に鎧戸状に配設し、回動軸孔および回動軸縦溝から縦内枠板裏面に突出するそれぞれの回動軸にルーバ板の短手幅長の回動腕を取り付け、この回動腕の両端部に枢軸を設け前記枢軸に折曲自在帯を軸支して上下の回動腕を等間隔に配設し、ルーバ枠体の下横枠の室内側に最下段ルーバ板の回動軸の上部移動を阻止する自在挟持具を配設し、且つ縦内枠板裏面内に最下段ルーバ板の回動軸を昇降自在とする昇降機構を配設するものである。
【特許文献１】特開２００２−６１４７０号公報
【特許文献２】特開２００２−１９４９６６号公報
【発明の開示】
【発明が解決しようとする課題】
【０００４】
特許文献１は、端部に設けられた電動機構を有する格子部材が、ガイドレールに沿って移動して両端の間にある格子部材を収容していくので、緊急時に開くことが可能であるが、緊急用であるため、電動機構を有する格子部材を通常の位置に戻した場合、それぞれの格子部材が元の位置に復帰する構造を有さないため、現状復帰が困難であるという不具合を有する。
【０００５】
特許文献２は、最下段ルーバ板の回転軸を昇降自在として緊急時に開放することができ、また各ルーバが連結されていることから、元の位置に復帰可能であるが、構造が複雑であるという不具合を生じる。
【０００６】
このため、本願発明は、簡易な構造で、窓等の開口部に配置されるルーバ、スラット又は面格子を移動させると共に、所定の位置に保持することのできる格子装置を提供することにある。
【課題を解決するための手段】
【０００７】
したがって、この発明は、開口部の両側に配される一対のガイドレールと、前記開口部上方に積層されて収納されると共に前記ガイドレールに沿って上下に移動可能である複数のスラットと、前記ガイドレールの対応する所定の位置に配され、スラットのそれぞれの両端を保持して、所定の位置に前記スラットを固定する保持手段と、該スラットを移動させる移動手段とを少なくとも具備する格子装置において、前記移動手段は、前記最下段のスラットのみを前記ガイドレールに沿って移動させると共に、前記保持手段は、降下するスラット群の最上段に位置するスラットの当接噛合部のみを保持すると共に、上昇するスラットによって保持されたスラットの噛合部の保持状態を解除するカム機構を有することにある。
【０００８】
また、前記カム機構は、前記ガイドレールに沿った所定の長さを有する本体部と、該本体部の上部に形成され、スラット群の隣り合う当接噛合部の間隔よりも広い幅で突出する第１の凸部と、該第１の凸部に隣接して形成される保持受部と、該保持受部の下端を形成し、前記スラット群の隣り合う当接噛合部の間隔よりも狭い幅で突出する第２の凸部とを有し、少なくとも前記第１の凸部は、前記スラットが当接移動することによって、前記スラットから離れる方向へ押し開かれるように本体部を傾斜又は移動させるものである。
【０００９】
これによって、例えば開口部上部に収納される積層された複数のスラット（スラット群）の最下段にあるスラットを駆動手段によって下降させることによって、開口部上部に積層された状態で収納されたスラット群が同時に下降し、カム機構の第１の凸部に当接する。これによって第１の凸部に当接して移動するスラットの当接噛合部によって、カム機構の本体部が順次保持解除位置に移動していく。そして最上段の下に位置するスラットが第２の凸部を通過した時に、第２の凸部が最上段のスラットの当接噛合部とその直下のスラットの当接噛合部間に移動するので、前記本体部が保持位置に復帰し、前記保持受部にスラットが保持される。このように、スラット群の最上段に位置するスラットの当接噛合部が次々にカム機構に保持されていくので、ガイドレールのカム機構が配された位置に、スラットが次々に設置されていくものである。
【００１０】
また、開口部を開放する場合には、最下段に位置するスラットを上方へ引き上げることによって、上記作業が逆に行われることとなるため、カム機構に保持されたスラットが次々に積層されていき、最終的に上方に収納されることなるものである。また、収納されたスラットはそれぞれ独立していることから、収納領域分に対して着脱自在とすることが可能である。
【００１１】
また、前記カム機構は、前記保持解除位置から前記保持位置へ移動する方向に付勢する付勢手段と、カム機構自体を保持解除位置に保持する無効手段とを具備することが望ましい。所定の位置のカム機構の無効手段によって、カム機構自体を保持解除位置に保持することができるので、その部分でスラットが保持されないことから、スラットの間隔を広くすることが可能となるものである。
【００１２】
さらに
、前記スラットには、前記保持受部に噛合する当接噛合部が設けられることが望ましい。具体的には、前記当接噛合部は、前記スラットの長手方向に沿って形成された肉薄部であることが望ましい。また、前記当接噛合部は、長手方向両端部のそれぞれの中央位置に設けられるロッドピンであることが望ましく、さらに前記当接噛合部は、長手方向両端部のそれぞれから長手方向に沿って延出する一対のロッドピンあることが望ましい。
【発明の効果】
【００１３】
本願発明によれば、ガイドレールに沿って本願発明に係るカム機構を所定の間隔で設置し、最下段に位置するスラットを下方へ移動させることによって最上部のスラットから順次カム機構に保持されていき、また最下段のスラットを上方へ移動させることによってカム機構に保持されたスラットを順次収容できることから、簡易な構造で確実に開口部にスラットを配置することができ、また開口部を開放することができるものである。
【発明を実施するための最良の形態】
【００１４】
以下、この発明の実施例について図面により説明する。
【実施例１】
【００１５】
本願発明に係る格子装置１は、例えば図１（ａ）〜（ｃ）に示されているように、窓、出入り口等の開口部２の両側に配される一対のガイドレール５と、前記開口部２の上方に設けられる収納領域４に収納されると共に前記ガイドレール５に沿って移動可能である複数のスラット３からなるスラット群２０を具備する。図１（ａ）は、複数のスラット３からなるスラット群２０が開口部２の上方に設けられた収納領域４に収納された状態を示す。図１（ｂ）は、最下段に位置するスラット３Ａが下方に移動すると共に、最上段に位置するスラット３が順次所定の位置に保持されていく状態を示す。図１（ｃ）は、スラット３のすべてが開口部２の所定の位置に配置された状態を示すものである。
【００１６】
また、図３に示すように、それぞれのスラット３には、スラットの長手方向に沿って略中央に厚さが薄く形成された当接噛合部３０が設けられている。この実施例では、スラット３の長手方向全体にわたって当接噛合部３０が形成されているが、その両端部の必要な領域だけ形成するようにしても良いものである。
【００１７】
さらに、ガイドレール５に沿って図１に示すように所定の間隔でカム機構１０が設けられる。それぞれのカム機構１０は、図２及び図４に示すように、ガイドレール５に沿って回動支点部１２から垂直方向に所定の長さ延出する本体部１１と、この本体部１１の図の上方に位置する先端に形成され、前記当接噛合部３０側に突出して前記当接噛合部３０が当接、摺動することによって前記本体部１１が押し開かれるように外側に移動（この実施例では傾斜）させる第１の凸部１３と、この第１の凸部１３の下方に位置し、前記当接噛合部３０が保持される凹状の保持受部１４と、この保持受部１４の下方に位置し、隣り合う当接噛合部３０の間の距離よりも狭い幅で突出する第２の凸部１５とを具備し、第２の凸部１５の下方には、スラット３の当接噛合部３０が本体部１１の位置に関わらず通過可能な形状をした平坦部１６が形成される。尚、回動支点部１２は、前記カム機構１０をガイドレール５に傾斜可能に保持するためのロッドピンによって構成される。尚、本体部１１を移動させる構造としては、本体部１１に設けられたピンと、これが噛合する溝部をガイドレール５に設けることも可能であるが、構造上の利点から、この実施例では回動支点１２を中心として回動させる構成を採用した。尚、第１のカム１３は連接触して移動するスラット３間の間隔に対応した幅を有し、本体部１１の押し開き状態を保つことができるカム接触面を形成する。また、第２の凸部１５は、前記スラット３を下方から保持する役目を有する。
【００１８】
これによって、図１（ａ）のスラット３が収納領域４に収納された状態から、最下段のスラット３Ａが、図示しないワイヤ又はラックとピニオン等の駆動機構によって、前記ガイドレール５に沿って下方へ移動する。この場合、図２（ａ）で示すように、最上方に位置するカム機構１０の第１の凸部１３には、最下段のスラット３Ａが最初に当接し、さらに下方で移動して、カム機構１０を押し開くように傾斜させて、図２（ｂ）で示すように、保持位置から保持解除位置に傾斜させるものである。
【００１９】
そして、図２（ｃ）で示すように、積層されたスラット３が次々に傾斜したカム機構１０を通過するが、最後から２番目のスラット３Ｃが第２の凸部１５を通過すると、第２の凸部１５がスラット３の当接噛合部３０間に移動するので、カム機構１０が保持解除位置から保持位置に復帰する。これによって、図２（ｄ）で示すように、最上段のスラット３Ｂがカム機構１０の保持受部１４に保持されるものである。そして、この作業が順次実行され、図１（ｂ）から図１（ｃ）で示す状態となり、スラット３の配置が完了するものである。
【００２０】
また、図１（ｃ）で示す状態から、最下段に位置するスラット３Ａを上方に上昇させると、先ず最初に、下から上昇する最下段のスラット３Ａがその上に位置するスラット３に当接して上方に押し上げることから、噛合されたスラット３の当接噛合部３０が第１の凸部１３を下方から押し広げ又は最下段のスラット３Ａの当接噛合部３０が第２の凸部１５を押し広げるので、保持受部１４からその上部に位置するスラット３の当接噛合部３０が開放され、最下段のスラット３Ａ上に保持されて一緒に上昇していく。このようにして、その上に位置するスラット３を順次回収することができるので、最終的に図１（ａ）で示す状態として収納領域４に収納されるものである。さらに、ガイドレール５の上部には、スラット３の取出部６が形成されていると共に、それぞれのスラット３が独立していることから、スラット３を自由に着脱することができるものである。
【００２１】
尚、前記カム機構１０には、当接噛合部３０による付勢力が無くなった場合に、前記カム機構１０を保持位置に復帰するための図示しない復帰機構が設けられる。この復帰機構としては、バネ、スプリング等の弾性部材によって復帰方向に付勢されることが望ましい。
【００２２】
また、図４に示すように、所望の位置のカム機構１０を傾斜した状態に保持する無効機構を設けることによって、前記カム機構１０を傾斜した状態（保持解除位置）に保持できるために、スラット３の当接噛合部３０がその部分だけ配置されないため、スラット３を広い間隔で配置することができるものである。前記無効機構は、カム機構１０を傾斜した状態にロックするための爪やロッドである。しかしながら、前記復帰機構自体を無効にする手段であっても良いものである。
【実施例２】
【００２３】
図５（ａ），（ｂ）で示す本願発明に係る実施例２は、前記当接噛合部３０として、スラット３の長手方向両端部には、スラット３の長手方向に沿ってそれぞれの端部から延出するロッドピンが設けられる。このロッドピン３０は、この実施例２においては、スラット３の両端部の短手方向の中央位置に配される。また、この実施例２においては、前記当接噛合部としてのロッドピン３０が噛合するカム機構１０は、前述した実施例と同様の構造であるが、ロッドピン３０が噛合可能な状態に配置される。この実施例２においても、上述したように当接噛合部３０とカム機構１０によって同様の動作が行われるので、実施例１と同様の効果を奏することが可能である。尚、上述した実施例１と同一の箇所及び同一の効果を奏する箇所には同一の符号を付してその説明を省略する。
【実施例３】
【００２４】
図６（ａ），（ｂ）で示す本願発明に係る実施例３は、前記当接噛合部３０として、スラット３の長手方向両端部には、スラット３の長手方向に沿ってそれぞれの端部から延出する一対のロッドピンが設けられる。また、この実施例３において、前記カム機構１０は、前記ロッドピン３０が噛合可能な状態に配置される。特にこの実施例３では、前記それぞれのロッドピン３０に対してスラット３の短手方向の中央方向に背中合わせとなるように配され、それぞれに外方に位置するロッドピン３０が噛合する構造となっている。このように、スラット３の短手方向の端部に設けられるロッドピン３０がその間に配されたカム機構１０に噛合する構造であることから、実施例２の簡易な構造に対して確実にスラット３を保持できるという効果を奏するものである。
【図面の簡単な説明】
【００２５】
【図１】本願発明に係る格子装置の全体的構成を示した概略図であり、（ａ）はスラットの収納状態を、（ｂ）はスラットの移動途中の状態を、（ｃ）はスタットが完全に配置を終了した状態を示したものである。
【図２】（ａ）〜（ｄ）は、カム機構とスラットの当接噛合部との作動状態を示した説明図である。
【図３】実施例１に係るスラットの構成を示したもので、（ａ）はその平面図、（ｂ）はその側面図である。
【図４】一部のカム機構の保持を無効にした場合の説明図である。
【図５】実施例２に係るスラットの構成を示したもので、（ａ）はその平面図、（ｂ）は側面からみた説明図である。
【図６】実施例３に係るスラットの構成を示したもので、（ａ）はその平面図、（ｂ）は側面からみた説明図である。
【符号の説明】
【００２６】
１  格子装置
２  開口部
３  スラット
３Ａ  最下段のスラット
３Ｂ  最上段のスラット
４  収納領域
５  ガイドレール
６  取出部
１０  カム機構
１１  本体部
１２  回動支点部
１３  第１の凸部
１４  保持受部
１５  第２の凸部
１６  平坦部
２０  スラット群
３０  当接噛合部
【図１】
2009197393.tif 000003
【図２】
2009197393.tif 000004
【図３】
2009197393.tif 000005
【図４】
2009197393.tif 000006
【図５】
2009197393.tif 000007
【図６】
2009197393.tif 000008